(57)【要約】      （修正有）【課題】釣針の軸部に対して着脱自在に取付けることできるとともに、集魚器具の動作方向を制限せず任意の方向に揺動することで小魚等の動作を模倣することが可能な集魚器具取付具を提供する。【解決手段】集魚器具取付具は、釣針３０の軸部３３に着脱自在に装着する装着部材１０と、該装着部材１０の端部に一端が埋め込まれ、他端に集魚器具４０を取付けるための環状部２１を備えた連結部材と、を備えてなり、装着部材１０は、弾性を有する略円柱状体であり、略円柱状体の上端から中央付近まで中心軸方向に貫通して釣針３０の軸部３３を挿入するための挿入孔１３と、その略円柱状体の周面には該挿入孔１３に連通する第一の開口部１１及び第二の開口部１２と、略円柱状体の下端に連結部材２０の一端を埋め込むための埋込部１４と、を有するものである。【選択図】図３
2020174562.tif 000002
【特許請求の範囲】
【請求項１】
釣針の軸部に着脱自在に装着する装着部材と、該装着部材の端部に一端が埋め込まれ、他端に集魚器具を連結するための連結部材と、を備えてなり、
前記装着部材は、弾性を有する略円柱状体であり、略円柱状体の上端から中央付近まで貫通して前記釣針の軸部を挿入するための挿入孔と、略円柱状体の周面には前記挿入孔に連通する第一の開口部及び第二の開口部と、略円柱状体の下端に前記連結部材の一端を埋め込むための埋込部と、を有することを特徴とする集魚器具取付具。
【請求項２】
第一の開口部は、装着部材の周面から挿入孔まで連通し、その周囲の肉厚を取り除いて断面略凹状に形成され、前記装着部材全体を折曲することでチモト部及び針先部を挿入し得る程度の幅まで拡開し得ることを特徴とする請求項１記載の集魚器具取付具。
【請求項３】
第二の開口部は、第一の開口部から挿入された針先部を、装着部材の周面に挿通し得る程度の幅で切り込むように形成され、前記釣針の軸部を挟持し得ることを特徴とする請求項１記載の集魚器具取付具。
【請求項４】
埋込部は、装着部材の下端部周辺を膨出して形成され、任意の方向に弾性変形し得ることを特徴する請求項１記載の集魚器具取付具。
【発明の詳細な説明】
【技術分野】
【０００１】
本発明は、集魚を目的とする反射板やラトル等の集魚器具を釣針に取り付けるための集魚器具取付具に関する。
【背景技術】
【０００２】
従来、魚食性の強い魚を釣るための仕掛けとして、釣針に小魚を模した反射板や音を発するラトル等の集魚器具を釣針に直接溶接したものや、釣り糸等で根巻き等の手段を用いているものが知られている。
【０００３】
また、三股状の釣針（いわゆるトリプルフックと呼ばれる）に取付ける場合には、釣針の軸部の下方に集魚器具を取付けることが好ましく、例えば、特許文献１のような釣針の軸部の下方に集魚器具が位置するように、環状の取付部を軸部の直下にロウ付けで形成されたものが提案されている。
【先行技術文献】
【特許文献】
【０００４】
【特許文献１】実用新案登録第３１７７２７７号公報
【発明の概要】
【発明が解決しようとする課題】
【０００５】
しかしながら、上記特許文献１に記載された考案は、従来の釣針に対して特殊な形状でロウ付けされたものであり、単にブレード等の集魚器具を取付けたい場合においても、従来の仕掛けなどに用いられている釣針を外して交換する手間が掛かるなどの欠点があった。
【０００６】
また、上記特許文献１に記載された環状の取付部にブレード等の集魚器具を取付けた場合には、水の抵抗等によって生じるブレードの動作方向は概ね取付部に沿って動くため動作方向が制限されブレードの揺動が規則的なものとなってしまい、本来の小魚等の自然な動作を模倣するには不十分であった。
【０００７】
そこで、本発明は、釣針（とりわけ、三股状の釣針）の軸部に対して着脱自在に取付けることできるとともに、集魚器具の動作方向を制限せず任意の方向に揺動することで小魚等の動作を模倣することが可能な集魚器具取付具を提供することを目的とする。
【課題を解決するための手段】
【０００８】
上記課題に鑑み、本発明の集魚器具取付具は、釣針の軸部に着脱自在に装着する装着部材と、該装着部材の端部に一端が埋め込まれ、他端に集魚器具を連結するための連結部材と、を備えてなり、
前記装着部材は、弾性を有する略円柱状体であり、略円柱状体の上端から中央付近まで貫通して前記釣針の軸部を挿入するための挿入孔と、略円柱状体の周面には前記挿入孔に連通する第一の開口部及び第二の開口部と、略円柱状体の下端に前記連結部材の一端を埋め込むための埋込部と、を有することを特徴とする。
【０００９】
また、上述した構成に加え、第一の開口部は、装着部材の周面から挿入孔まで連通し、その周囲の肉厚を取り除いて断面略凹状に形成され、装着部材全体を折曲することでチモト部及び針先部を挿入し得る程度の幅まで拡開し得ることが好ましい。
【００１０】
また、上述した構成に加え、第二の開口部は、第一の開口部から挿入された針先部を装着部材の周面に挿通し得る程度の幅で切り込むように形成され、釣針の軸部を挟持し得ることが好ましい。
【００１１】
また、上述した構成に加え、埋込部は、装着部材の下端部周辺を膨出して形成され、任意の方向に弾性変形し得ることが好ましい。
【発明の効果】
【００１２】
請求項１−４記載の発明よれば、従来の釣針の軸部下方に集魚器具を取付けることできる着脱自在な集魚器具取付具を提供することが可能である。とりわけ、三股状に分岐する分岐部を有する釣針に対しても、分岐部を回避しながら軸部下方に集魚器具を連結するための連結部材を位置させることが可能である。
【図面の簡単な説明】
【００１３】
【図１】本発明の実施形態における集魚器具取付具を示す斜視図である。
【図２】図１の集魚器具取付具を示す(a)正面図、(b)側面図、(c)中央縦断面図である。
【図３】図１の集魚器具を釣針に装着する方法を示す概念図であり、(a)第一の開口部からチモト部及び針先部を挿入しようとする状態、(b)装着した状態、を示すものである。
【発明を実施するための形態】
【００１４】
(実施形態) 
本発明の実施形態の一例について図１−３に基づいて詳細に説明する。本実施形態において、釣針３０は、釣糸等を結びつけるチモト部３１と、該チモト部３１から垂下してなる軸部３３と、該軸部３３の下端から三又状に分岐する分岐部３４と、該分岐部３４を経て該チモト部３１側の上方に湾曲して形成された針先部３２、３２と、を有するものである。また、集魚器具４０は、小魚の形状や魚皮が発する反射光を模した板体と、該板体の先端に後述する連結部材２０の環状部２１に取付けるためのリング部４１と、を有するものである。
【００１５】
本発明による集魚器具取付具１は、図１、２に示すように、釣針３０の軸部３３に着脱自在に装着する装着部材１０と、該装着部材１０の端部に一端が埋め込まれ、他端に集魚器具４０を取付けるための環状部２１を備えた連結部材２０と、からなるものである。
【００１６】
装着部材１０は、弾性を有する合成樹脂材を主体として一体に成形された略円柱状体であり、略円柱状体の上端から中央付近まで中心軸方向に貫通して釣針３０の軸部３３を挿入するための挿入孔１３と、その略円柱状体の周面には該挿入孔１３に連通する第一の開口部１１及び第二の開口部１２と、略円柱状体の下端に連結部材２０の一端を埋め込むための埋込部１４と、を有するものである。なお、この装着部材１０は、釣針３０の軸部３３を挿入して装着している状態を視認しやすくするために透明なものが好適である。
【００１７】
第一の開口部１１は、装着部材１０の周面から中心付近の挿入孔１３まで連通するように開口され、その周囲の肉厚を取り除いて断面略凹形状に形成されている。より具体的には、この第一の開口部１１は、側面から見て装着部材１０の長手方向の中央付近の三分の一程度の長さにおいて肉厚を取り除くように中心付近まで凹ませた形状である。この第一の開口部１１の形状によって、装着部材１０全体を略Ｖ字状に容易に折曲げることができるとともに、釣針３０のチモト部３１及び針先部３２を同時に挿入し得る程度の幅Ｗまで拡開することが可能である。
【００１８】
第二の開口部１２は、第一の開口部１１から挿入された針先部３２を、装着部材１０の周面に挿通し得る程度の幅で中心軸方向に切り込むように形成されたスリット状のものである。また、この第二の開口部１２の横幅は、釣針３０の軸部３３の太さよりも若干程度狭くすることで、第二の開口部１２の両側の側縁１２a、１２aで釣針３０の軸部３３周辺を挟持するものである。
【００１９】
埋込部１４は、装着部材１０の下端部周辺に丸みを帯びて膨出するように形成されており、埋め込まれた連結部材２０の一端の動作方向を制限せず、任意の方向に弾性変形し得るものである。
【００２０】
連結部材２０は、ステンレス等の金属材を主体として形成されるものであり、集魚器具４０を取付けるための一対の環状部２１、２１と、該環状部２１、２１同士をそれぞれ独立に回動自在に軸支する回転軸部２２と、を有するものである。上述した埋込部１４に埋め込まれる連結部材２０の一端は、一方の環状部２１の全体が埋め込まれるものであり、他方の環状部２１には集魚器具４０のリング部４１を取付けるものである。
【００２１】
次に、上述した集魚器具取付具１を釣針３０に装着する方法について図３に基づいて説明する。
【００２２】
はじめに、集魚器具取付具１の装着部材１０は、釣針３０のチモト部３１を第一の開口部１１から挿入孔１３を介して挿入した後、装着部材１０の上端側にチモト部３１を露出するようにする。それと同時に、装着部材１０全体を略Ｖ字状に折曲して第一の開口部１１を拡開した後、針先部３２を第一の開口部１１から挿入する。
【００２３】
次に、装着部材１０の上端側をチモト部３１の上端側から下方にずり落としながら、第二の開口部１２から針先部３２を露出させるように装着部材１０を移動させた後、第二の開口部１２の側縁１２a、１２a、で釣針３０の軸部３３を挟持させつつ、第二の開口部１２の下方を釣針３０の分岐部３４周辺に位置するようにして、装着部材１０の埋込部１４を釣針３０の軸部３３下方（又は分岐部３４の直下）に位置させることで装着を完了する。
【００２４】
したがって、上述した構成から、従来の釣針３０の軸部３３下方に集魚器具４０を取付けることできる着脱自在な集魚器具取付具１を提供することが可能である。また、とりわけ、三股状に分岐する分岐部３４を有する釣針３０に対しても、分岐部３４を回避しながら軸部３３下方（分岐部３４の直下）に集魚器具４０を連結するための連結部材２０を位置させるように取付けることが可能である。
【００２５】
また、釣針３０と連結部材２０とを任意の方向に弾性変形し得る埋込部１４を介して取付けるため、従来の釣針にロウ付けされた環状の取付部に比べて、連結部材２０及びそれに取付けられた集魚器具４０の動作方向を制限することなく任意の方向に揺動させることで小魚等の動作をより一層自然に模倣することでき、ひいては釣果を高めることが可能である。
【００２６】
上記の実施形態では本発明の好ましい実施形態を例示したが、本発明は上記の実施形態に限定されるものではなく、特許請求の範囲に記載した範囲内で改善や変更が可能である。例えば、図示しないが、一本針や二股状の釣針（ダブルフック）等にも釣針の軸部下方に連結部材及びそれに取付けられる集魚器具を位置させるように装着することも可能である。
【符号の説明】
【００２７】
１…集魚器具取付具、
10…装着部材、11…第一の開口部、12…第二の開口部、12a…側縁、13…挿入孔、Ｗ…幅、14…埋込部、
20…連結部材、21…環状部、22…回転軸部、
30…釣針、31…チモト部、32…針先部、33…軸部、34…分岐部、
40…集魚器具、41…リング部。
【図１】
2020174562.tif 000003
【図２】
2020174562.tif 000004
【図３】
2020174562.tif 000005